(57)【要約】【課題】エントランスにいる来訪者に監視されている旨の警告を与えることにより、エントランスにおける来訪者の不審な行動や共連れ的な進入を抑止することができる集合住宅インターホンシステムを提供する。【解決手段】集合玄関機１０のセンサ１４またはエントランスカメラ２０のセンサ２１が来訪者を感知した場合にカメラ１３またはエントランスカメラ２０を起動し、このカメラ１３またはエントランスカメラ２０により撮像される映像を表示部１２に表示する。これにより、エントランスＡにいる来訪者自身の姿が表示部１２に映し出されるため、来訪者に監視されているという警告を与えることができ、来訪者の不審な行動を抑止することができる。【選択図】図１
2011205570.tif 000002
【特許請求の範囲】
【請求項１】
集合住宅のエントランスに設置され、居住者を呼び出す機能を備えた集合玄関機と、前記エントランスに設置され、来訪者を撮像するためのエントランスカメラと、各住戸に設置され、前記集合玄関機からの呼び出しに応答する機能を備えた複数の居室親機と、前記集合玄関機、前記エントランスカメラおよび前記居室親機を制御する制御装置と、を有する集合住宅インターホンシステムにおいて、
前記集合玄関機は、表示部を有しており、
前記エントランスカメラは、人を感知するセンサを有しており、
前記制御装置は、前記エントランスカメラの前記センサが来訪者を感知した場合、前記エントランスカメラを起動させ、このエントランスカメラにより撮像される映像を前記表示部に表示する制御を行う、
集合住宅インターホンシステム。
【請求項２】
集合住宅のエントランスに設置され、居住者を呼び出す機能を備えた集合玄関機と、各住戸に設置され、前記集合玄関機からの呼び出しに応答する機能を備えた複数の居室親機と、前記集合玄関機および前記居室親機を制御する制御装置と、を有する集合住宅インターホンシステムにおいて、
前記集合玄関機は、来訪者を撮像するための集合玄関機カメラ、表示部および人を感知するセンサを有しており、
前記制御装置は、前記集合玄関機の前記センサが来訪者を感知した場合、前記集合玄関機カメラを起動させ、この集合玄関機カメラにより撮像される映像を前記表示部に表示する制御を行う、
集合住宅インターホンシステム。
【請求項３】
集合住宅のエントランスに設置され、居住者を呼び出す機能を備えた集合玄関機と、前記エントランスに設置され、来訪者を撮像するためのエントランスカメラと、各住戸に設置され、前記集合玄関機からの呼び出しに応答する機能を備えた複数の居室親機と、前記集合玄関機、前記エントランスカメラおよび前記居室親機を制御する制御装置と、を有する集合住宅インターホンシステムにおいて、
前記集合玄関機は、来訪者を撮像するための集合玄関機カメラ、表示部および人を感知するセンサを有しており、
前記エントランスカメラは、人を感知するセンサを有しており、
前記制御装置は、前記集合玄関機の前記センサまたは前記エントランスカメラの前記センサのいずれかが来訪者を感知した場合、前記集合玄関機カメラおよび前記エントランスカメラを起動させ、この集合玄関機カメラまたは前記エントランスカメラにより撮像される映像を前記表示部に表示する制御を行う、
集合住宅インターホンシステム。
【請求項４】
前記制御装置は、前記集合玄関機の前記センサまたは前記エントランスカメラの前記センサのいずれかが来訪者を感知した場合、前記集合玄関機カメラおよび前記エントランスカメラを起動させ、この集合玄関機カメラにより撮像される映像またはエントランスカメラにより撮像される映像を所定のタイミングで切り替えて前記表示部に表示する制御を行う、
請求項３記載の集合住宅インターホンシステム。
【請求項５】
前記制御装置は、前記エントランスカメラまたは前記集合玄関機カメラにより撮像される映像を前記表示部に表示するとともに、監視中であることを示すメッセージを前記集合玄関機から出力する制御を行う、
請求項１ないし４のいずれかの項記載の集合住宅インターホンシステム。
【請求項６】
前記制御装置は、前記エントランスカメラの前記センサまたは前記集合玄関機の前記センサが来訪者を感知してから所定の時間内に前記集合玄関機の入力操作がなかった場合にのみ、前記エントランスカメラまたは前記集合玄関機カメラを起動させる、
請求項１ないし５のいずれかの項記載の集合住宅インターホンシステム。
【請求項７】
前記制御装置は、前記エントランスカメラまたは前記集合玄関機カメラを起動させる前に、まもなく撮像が開始される旨を知らせるメッセージを前記集合玄関機から出力する制御を行う、
請求項６記載の集合住宅インターホンシステム。
【請求項８】
前記制御装置は、前記エントランスカメラまたは前記集合玄関機カメラを起動させてから所定の時間内に前記集合玄関機の入力操作がなかった場合には、予め決められた時間が経過した後、または前記エントランスカメラの前記センサまたは前記集合玄関機の前記センサが来訪者を感知しなくなった後に、前記エントランスカメラまたは前記集合玄関機カメラの撮像を終了させる、
請求項１ないし７のいずれかの項記載の集合住宅インターホンシステム。
【請求項９】
前記制御装置は、前記集合玄関機の入力操作があった場合に予め決められた時間居住者を呼び出し続けるための呼出状態継続用のタイマを有しており、
前記エントランスカメラまたは前記集合玄関機カメラの起動中に前記集合玄関機の入力操作があった場合には、前記エントランスカメラまたは前記集合玄関機カメラを起動させた状態を維持するとともに、前記呼出状態継続用のタイマを起動させ、前記居住者が前記居室親機により応答することなく前記予め決められた時間が経過した場合、前記エントランスカメラまたは前記集合玄関機カメラの撮像を終了させる、
請求項１ないし８のいずれかの項記載の集合住宅インターホンシステム。
【請求項１０】
前記集合玄関機または前記制御装置の少なくとも一方は、メモリを備えており、
前記制御装置は、前記エントランスカメラまたは前記集合玄関機カメラにより撮像される映像を前記表示部に表示するとともに、この映像を前記メモリに録画する、
請求項１ないし９のいずれかの項記載の集合住宅インターホンシステム。
【請求項１１】
管理人室に設置され、表示部を備える管理室親機をさらに有しており、
前記制御装置は、前記エントランスカメラまたは前記集合玄関機カメラにより撮像される映像を前記表示部に表示するとともに、前記管理人室の前記表示部にも表示する、
請求項１ないし１０のいずれかの項記載の集合住宅インターホンシステム。
【請求項１２】
前記管理室親機は、メモリを備えており、
前記制御装置は、前記エントランスカメラまたは前記集合玄関機カメラにより撮像される映像を前記表示部に表示するとともに、この映像を前記メモリに録画する、
請求項１１記載の集合住宅インターホンシステム。
【発明の詳細な説明】
【技術分野】
【０００１】
本発明は、集合住宅インターホンシステムに関する。
【背景技術】
【０００２】
従来、マンション等の集合住宅で使用される集合住宅インターホンシステムとして、そのエントランスにオートドアが設けられているものが存在する。このようにオートドアが設けられた集合住宅インターホンシステムによれば、不特定人のマンション内への自由な立ち入りを防止することができるため、セキュリティを高めることができる。
【先行技術文献】
【特許文献】
【０００３】
【特許文献１】特開２０００−１０１７３１号公報
【特許文献２】特開２００９−１３０５２２号公報
【発明の概要】
【発明が解決しようとする課題】
【０００４】
しかしながら、このようなオートドア付きの集合住宅インターホンシステムにおいても、オートドアの外側のエントランスにおける来訪者の不審な行動を把握できないことが多い。すなわち、エントランスの状況を把握するための集合玄関機のカメラまたはエントランスに設置されるエントランスカメラは集合玄関機から居住者等の呼出操作などを行った場合に起動するような構成になっているため、来訪者により呼出操作がなされるまではエントランスが監視状態にないのが一般的である。このため、エントランスに設置されている集合玄関機やその他の備品が第三者により損傷されたり、張り紙をされたりいたずら書き等のいたずらをされる場合がある。また、このようにエントランスが監視状態にない際、集合住宅内の他の居住者が他の来訪者のためにオートドアを解錠した際に共連れ的に第三者がマンション内に立ち入ってしまう等、居住者にとって好ましくない来訪者や不審者のマンション内への立ち入る場合もある。
【０００５】
本発明は、以上のような問題点に鑑みてなされたものであり、エントランスにいる来訪者に監視されている旨の警告を与えることにより、エントランスにおける来訪者の不審な行動や共連れ的な侵入を抑止することができる集合住宅インターホンシステムを提供することを課題とする。
【課題を解決するための手段】
【０００６】
上記課題を解決するために、本願発明者は、以下のような集合住宅インターホンシステムを提案する。
【０００７】
本発明の集合住宅インターホンシステムは、集合住宅のエントランスに設置され、居住者を呼び出す機能を備えた集合玄関機と、前記エントランスに設置され、来訪者を撮像するためのエントランスカメラと、各住戸に設置され、前記集合玄関機からの呼び出しに応答する機能を備えた複数の居室親機と、前記集合玄関機、前記エントランスカメラおよび前記居室親機を制御する制御装置と、を有している。
前記集合玄関機は、表示部を有しており、前記エントランスカメラは、人を感知するセンサを有しており、前記制御装置は、前記エントランスカメラの前記センサが来訪者を感知した場合、前記エントランスカメラを起動させ、このエントランスカメラにより撮像される映像を前記表示部に表示する制御を行うような構成となっている。
このような構成の集合住宅インターホンシステムによれば、エントランスカメラのセンサが来訪者を感知した場合にエントランスカメラが起動し、このエントランスカメラにより撮像される映像が表示部に表示される。すなわち、エントランスにいる来訪者自身の姿が集合玄関機の表示部に映し出されるため、来訪者に監視されているという警告を与えることができ、来訪者の不審な行動や共連れ的な侵入を抑止することができる。
【０００８】
本発明の他の集合住宅インターホンシステムは、集合住宅のエントランスに設置され、居住者を呼び出す機能を備えた集合玄関機と、各住戸に設置され、前記集合玄関機からの呼び出しに応答する機能を備えた複数の居室親機と、前記集合玄関機および前記居室親機を制御する制御装置と、を有している。
前記集合玄関機は、来訪者を撮像するための集合玄関機カメラ、表示部および人を感知するセンサを有しており、前記制御装置は、前記集合玄関機の前記センサが来訪者を感知した場合、前記集合玄関機カメラを起動させ、この集合玄関機カメラにより撮像される映像を前記表示部に表示する制御を行うような構成となっている。
このような構成の集合住宅インターホンシステムによれば、集合玄関機のセンサが来訪者を感知した場合に集合玄関機カメラが起動し、この集合玄関機カメラにより撮像される映像が表示部に表示される。すなわち、上記の集合住宅インターホンシステムと同様、エントランスにいる来訪者自身の姿が表示部に映し出されるため、来訪者に監視されているという警告を与えることができ、来訪者の不審な行動や共連れ的な侵入を抑止することができる。
【０００９】
また、本発明の他の集合住宅インターホンシステムは、集合住宅のエントランスに設置され、居住者を呼び出す機能を備えた集合玄関機と、前記エントランスに設置され、来訪者を撮像するためのエントランスカメラと、各住戸に設置され、前記集合玄関機からの呼び出しに応答する機能を備えた複数の居室親機と、前記集合玄関機、前記エントランスカメラおよび前記居室親機を制御する制御装置と、を有している。
前記集合玄関機は、来訪者を撮像するための集合玄関機カメラ、表示部および人を感知するセンサを有しており、前記エントランスカメラは、人を感知するセンサを有しており、前記制御装置は、前記集合玄関機の前記センサまたは前記エントランスカメラの前記センサのいずれかが来訪者を感知した場合、前記集合玄関機カメラおよび前記エントランスカメラを起動させ、この集合玄関機カメラまたは前記エントランスカメラにより撮像される映像を前記表示部に表示する制御を行うような構成となっている。
このような構成の集合住宅インターホンシステムによれば、集合玄関機のセンサまたはエントランスカメラのセンサが来訪者を感知した場合に集合玄関機カメラまたはエントランスカメラが起動し、この集合玄関機カメラまたはエントランスカメラにより撮像される映像が表示部に表示される。すなわち、上記の集合住宅インターホンシステムと同様、エントランスにいる来訪者自身の姿が表示部に映し出されるため、来訪者に監視されているという警告を与えることができ、来訪者の不審な行動や共連れ的な侵入を抑止することができる。また、この集合住宅インターホンシステムでは、集合玄関機のセンサまたはエントランスカメラのセンサのいずれかが来訪者を感知した場合にカメラが起動するため、来訪者の感知度を上げることができる。また、来訪者の撮像も集合玄関機カメラおよびエントランスカメラの双方のカメラによってなされるため、複数の角度からの撮像が可能となり、監視体制をより高めることができる。
【００１０】
前記制御装置は、前記集合玄関機の前記センサのまたは前記エントランスカメラの前記センサのいずれかが来訪者を感知した場合、前記集合玄関機カメラおよび前記エントランスカメラを起動させ、この集合玄関機カメラにより撮像される映像またはエントランスカメラにより撮像される映像を所定のタイミングで切り替えて前記表示部に表示する制御を行うような構成とすることができる。
このように、集合玄関機カメラにより撮像される映像またはエントランスカメラにより撮像される映像を所定のタイミングで表示部に表示する構成とすれば、来訪者に複数のカメラで監視されているという警告を与えることができ、来訪者の不審な行動をさらに抑止することができる。
なお「所定のタイミングで切り替えて」とは、所定の時間が経過する毎に切り替える場合のほか、所定の時間が経過した場合に一度だけ映像を切り替える場合も含まれる。
【００１１】
前記制御装置は、前記エントランスカメラまたは前記集合玄関機カメラにより撮像される映像を前記表示部に表示するとともに、監視中であることを示すメッセージを前記集合玄関機から出力する制御を行うような構成とすることができる。
このように、監視中であることを示すメッセージを集合玄関機から出力するような構成にすれば、自分自身が監視のターゲットになっていることを知らせることができるため、来訪者の不審な行動や共連れ的な侵入をさらに抑止することができる。
ここで「監視中であることを示すメッセージ」とは、「監視中です。」等のテロップを表示部に表示する文字によるメッセージまたは音声によるメッセージを意味する。この文字によるメッセージおよび音声によるメッセージは、そのいずれか一方を出力するような構成としてもよいし、双方を出力するような構成としてもよい。
【００１２】
前記制御装置は、前記エントランスカメラの前記センサまたは前記集合玄関機の前記センサが来訪者を感知してから所定の時間内に前記集合玄関機の入力操作がなかった場合にのみ、前記エントランスカメラまたは前記集合玄関機カメラを起動させるような構成となっていてもよい。
マンションの居住者やいたずら目的ではない来訪者は、エントランスに立ち入ったらすぐに集合玄関機の入力操作を行うことが多く、逆に、エントランスに立ち入ったまま集合玄関機にて何ら入力操作をしない者は、立ち入りの目的が不明確で不審者である場合が多い。したがって、このような構成になっていれば、所定の時間内（例えば１分以内）に集合玄関機の入力操作を行わなかった来訪者のみを撮像することとなるため、不審者である可能性の低い前者についての撮像を回避することができる可能性が高く、マンションの居住者や通常の来訪者に対して監視カメラによって監視されているという不快感を与えずにすむ。
【００１３】
前記制御装置は、前記エントランスカメラまたは前記集合玄関機カメラを起動させる前に、まもなく撮像が開始される旨を知らせるメッセージを前記集合玄関機から出力する制御を行うような構成となっていてもよい。
このような構成にすれば、エントランスに立ち入ってから所定の時間内に集合玄関機にて入力操作をしない場合、まもなく監視が始まることが予告されるため、不審な行動を未然に防止できる効果を期待することができる、また、マンションの居住者や通常の来訪者にこれから撮像されるという心づもりをさせることができ、プライバシーを保護することができる。
ここで「まもなく撮像が開始される旨を知らせるメッセージ」とは、「まもなく撮像が開始されます。」等のテロップを表示部に表示する文字によるメッセージまたは音声によるメッセージを意味する。この文字によるメッセージおよび音声によるメッセージは、そのいずれか一方を出力するような構成としてもよいし、双方を出力するような構成としてもよい。
【００１４】
前記制御装置は、前記エントランスカメラまたは前記集合玄関機カメラを起動させてから所定の時間内に前記集合玄関機の入力操作がなかった場合には、予め決められた時間が経過した後、または前記エントランスカメラの前記センサまたは前記集合玄関機の前記センサが来訪者を感知しなくなった後に、前記エントランスカメラまたは前記集合玄関機カメラの撮像を終了させるような構成とすることができる。
このような構成の集合住宅インターホンシステムによれば、エントランス内の清掃・修理その他何らかの事情によりエントランス立ち入り後に集合玄関機の入力操作を行わない場合に、カメラによる撮像を無駄に続けることを防止することができる。
【００１５】
前記制御装置は、前記集合玄関機の入力操作があった場合に予め決められた時間居住者を呼び出し続けるための呼出状態継続用のタイマを有しており、前記エントランスカメラまたは前記集合玄関機カメラの起動中に前記集合玄関機の入力操作があった場合には、前記エントランスカメラまたは前記集合玄関機カメラを起動させた状態を維持するとともに、前記呼出状態継続用のタイマを起動させ、前記居住者が前記居室親機により応答することなく前記予め決められた時間が経過した場合、前記エントランスカメラまたは前記集合玄関機カメラの撮像を終了させるような構成としてもよい。
このような構成の集合住宅インターホンシステムによれば、来訪者が呼び出した居住者が不在である場合においても、呼出状態継続用のタイマの作動により予め決められた時間が経過した場合にはカメラによる撮像が終了するため、カメラによる撮像を無駄に続けることを防止することができる。
【００１６】
前記集合玄関機または前記制御装置の少なくとも一方は、メモリを備えており、前記制御装置は、前記エントランスカメラまたは前記集合玄関機カメラにより撮像される映像を前記表示部に表示するとともに、この映像を前記メモリに録画するような構成としてもよい。
このように、映像をメモリに録画するような構成とすれば、エントランスの集合玄関機または備品等に損傷があった場合や、マンション内に不審者がいた場合に、この人物が立ち去った後にも来訪時の様子を確認することができ、利便性が高い。
【００１７】
管理人室に設置され、表示部を備える管理室親機をさらに有しており、前記制御装置は、前記エントランスカメラまたは前記集合玄関機カメラにより撮像される映像を前記表示部に表示するとともに、前記管理人室の前記表示部にも表示するような構成としてもよい。
このように、管理人室の表示部にも映像を表示するような構成とすれば、リアルタイムに管理人による監視を行うことができる。
【００１８】
前記管理室親機は、メモリを備えており、前記制御装置は、前記エントランスカメラまたは前記集合玄関機カメラにより撮像される映像を前記表示部に表示するとともに、この映像を前記メモリに録画するような構成としてもよい。
このように、映像をメモリに録画するような構成とすれば、エントランスの集合玄関機または備品等に損傷があった場合、この人物が立ち去った後にも来訪時の様子を確認することができ、利便性が高い。
【発明の効果】
【００１９】
本発明によれば、エントランスにおける来訪者の不審な行動や共連れ的な侵入を抑止することができる集合住宅インターホンシステムを提供することができる。
【図面の簡単な説明】
【００２０】
【図１】本実施形態の集合住宅インターホンシステムの全体を示すブロック図。
【図２】本実施形態の集合住宅インターホンシステムの動作を示すフローチャート。
【発明を実施するための形態】
【００２１】
以下、本発明の集合住宅インターホンシステムの好ましい一実施形態を、図面を参照しながら詳細に説明する。
【００２２】
この実施形態による集合住宅インターホンシステム１は、概略で図１に示したように構成される。
すなわち、このインターホンシステム１は、集合住宅のエントランスＡに設置され、居住者を呼び出す機能を備えた集合玄関機１０と、集合玄関機１０に接続されているエントランスカメラ２０と、管理人室に設置される管理室親機３０と、各住戸に設置され、集合玄関機１０または管理室親機３０からの呼び出しに応答する機能を備えた複数の居室親機４０と、集合玄関機１０、エントランスカメラ２０、管理室親機３０、および居室親機４０を制御する制御装置５０と、を有している。
集合玄関機１０とエントランスカメラ２０、管理室親機３０、および居室親機４０は、それぞれ集合玄関接続幹線Ｌ１、管理室接続幹線Ｌ２、および居室接続幹線Ｌ３を介して制御装置５０に接続されている。
【００２３】
集合玄関機１０は、来訪者が来訪先の居室番号等を入力して呼出操作を行うための操作部１１と、操作部１１にて入力された居室番号等が表示される表示部１２と、来訪者を撮像するためのカメラ１３と、人を感知するセンサ１４と、音声メッセージ等を格納するメモリ１５と、集合玄関接続幹線Ｌ１を介して制御装置５０と通信するための通信回路１６と、マイク１７およびスピーカ１８と、集合玄関機１０全体をそれぞれ制御するための制御回路１９と、を有している。この制御回路１９は、集合住宅内への立ち入りを制限するための図示しないオートドアと接続されている。
エントランスカメラ２０は、来訪者を撮像するためのエントランスに取り付けられたカメラである。このエントランスカメラ２０は、人を感知するセンサ２１を備えている。このエントランスカメラ２０は、図１に示すように、本実施形態では、集合玄関機１０の制御回路１９に接続されており、制御回路１９の制御に基づいて動作するように構成されているものとして説明するが、集合玄関機１０の制御回路１９ではなく、制御装置５０に接続されるような構成とすることもできる。
【００２４】
管理室親機３０は、管理人が通話したい居住者の居室番号等を入力して呼出操作を行うための操作部３１と、操作部３１にて入力された居室番号、呼出元や警報報知元の居室番号等が表示される表示部３２と、メモリ３３と、管理室接続幹線Ｌ２を介して制御装置５０と通信するための通信回路３４と、管理室親機３０全体を制御するための制御回路３５と、を有している。本実施形態では、この管理室親機３０は１つであるものとして説明するが、複数設けられていてもよい。
【００２５】
居室親機４０は、集合玄関機１０や管理室親機３０からの呼び出しに応答する応答操作や居住者が管理人を呼び出す呼出操作等を行うための操作部４１と、操作部４１で行った各種操作情報や、通話している来訪者または管理人の画像を表示等するための表示部４２と、居室接続幹線Ｌ３を介して制御装置５０と通信するための通信回路４３と、居室親機４０全体をそれぞれ制御するための制御回４４と、を有している。
操作部４１は、来訪者からの呼び出しがあった際にオートドアを解錠するための図示しない解錠ボタンを有している。
その他、管理室親機３０および居室親機４０が通話に必要な音声回路や映像回路等を備えていることは従来のインターホンシステムと同様であるので、これらについての説明は省略する。
【００２６】
制御装置５０は、集合玄関接続幹線Ｌ１を介して集合玄関機１０と通信するための通信回路５１と、管理室接続幹線Ｌ２を介して管理室親機３０と通信するための通信回路５２と、居室親機接続幹線Ｌ３を介して居室親機４０と通信するための通信回路５３と、メモリ５４と、呼出状態継続用のタイマ５５と、制御装置５０全体を制御するための主制御回路５６と、を有している。
呼出状態継続用のタイマ５５は、集合玄関機１０から居室親機４０の呼び出しがあった場合、呼び出しがあってから、設定された所定の時間をカウントするタイマである。
【００２７】
次に、以上のように構成された集合住宅インターホンシステム１の動作について、説明する。
なお、集合玄関機１０による来訪者からの呼出操作に対して管理室親機３０または居室親機４０で応答した場合、制御装置５０を介して集合玄関機１０と管理室親機３０または居室親機４０との間で通話が行える点等については従来と同様であるので説明を省略し、ここでは、来訪者がエントランスＡに立ち入った場合の集合住宅インターホンシステム１の動作について、図２のフローチャートを参照しながら説明する。
【００２８】
集合玄関機１０のセンサ１４またはエントランスカメラ２０のセンサ２１がエントランスＡに立ち入った来訪者を感知すると（ＳＴ１０１：Ｙｅｓ）、人を感知したことを示す感知信号がこれらのセンサ１４、２１から制御回路１９、集合玄関接続幹線Ｌ１を介して制御装置５０の通信回路５１に送信される。
主制御回路５６は、通信回路５１から感知信号を受け取ると、図示しないタイマにより所定の時間（例えば３０秒）のカウントを開始する（ＳＴ１０２）。そして、感知信号を受け取ってから所定の時間内に来訪者による集合玄関機の入力操作がなかった場合（ＳＴ１０２：Ｎｏ）、主制御回路５６は、さらに図示しないタイマによる所定の時間（例えば１０秒）のカウントを開始するとともに、まもなく撮像を開始する旨のメッセージを集合玄関機１０から流すように集合玄関機１０を制御する。具体的には、集合玄関機１０から撮像を開始する旨のメッセージを流すための信号を通信回路５１から集合玄関機１０に送信する。この信号は、通信回路１６を介して制御回路１９に送信される。制御回路１９は、メモリ１５から「まもなく撮像を開始します。」との音声メッセージおよび「御用の方は、居室番号を入力ください。」との文字メッセージを読み出し、音声メッセージをスピーカ１８から流すとともに、文字メッセージを表示部１２に表示する（ＳＴ１０３）。
そして、この所定の時間内にも来訪者による集合玄関機の入力操作がなかった場合（ＳＴ１０４：Ｎｏ）、主制御回路５６は、カメラ１３およびエントランスカメラ２０を起動させる制御を実行する。具体的には、カメラ１３およびエントランスカメラ２０を起動させる起動信号を通信回路５１から集合玄関機１０に送信する。この起動信号は、通信回路１６、制御回路１９を介してカメラ１３およびエントランスカメラ２０に送信され、カメラ１３およびエントランスカメラ２０が起動し、撮像が開始される（ＳＴ１０５）。
一方、まもなく撮像を開始する旨のアナウンスがされるまでに、またはこのアナウンスがされてから所定の時間が経過するまでに、来訪者による集合玄関機１０の入力操作があった場合、主制御回路５６は、監視のためにカメラ１３およびエントランスカメラ２０を起動させる制御を実行しない。
【００２９】
起動したカメラ１３およびエントランスカメラ２０により撮像された映像は制御回路１９に送信され、制御回路１９は、カメラ１３またはエントランスカメラ２０により撮像された映像のうち、いずれか一方の映像を表示部１２に表示するとともに、監視中であることを示すメッセージを集合玄関機１０から出力する。具体的には、まずエントランスカメラ２０により撮像された映像を表示部１２に表示する（ＳＴ１０６）。そして、予め設定された時間（例えば３０秒）が経過したら（ＳＴ１０７：Ｙｅｓ）一度だけ映像を切り替え、カメラ１３により撮像された映像を表示部１２に表示する（ＳＴ１０８）。また、表示部１２に映像を表示するとともに「監視中です。」等のテロップを流し、「監視中です。」との音声を集合玄関機１０のスピーカ１８から出力する。
【００３０】
また、制御回路１９は、表示部１２に映し出す映像をメモリ１５に録画する（ＳＴ１０６）とともに、通信回路１６から制御装置５０の通信回路５１、主制御回路５６、通信回路５２、管理室接続幹線Ｌ２を介して管理室親機３０の通信回路３４に送信される。
制御回路３５は、通信回路３４から表示部１２に映し出す映像を受け取ると、この映像を表示部３２に表示する（ＳＴ１０６、ＳＴ１０８）。
【００３１】
カメラ１３およびエントランスカメラ２０を起動させてから、来訪者による呼出操作もなく、集合玄関機１０のセンサ１４およびエントランスカメラ２０のセンサ２１による感知信号が制御装置５０に送信されなくなった場合（ＳＴ１１４：Ｙｅｓ）、主制御回路５６は、カメラ１３およびエントランスカメラ２０による撮像を終了させる制御を実行する（ＳＴ１１５）。具体的には、カメラ１３およびエントランスカメラ２０の撮像を終了させる停止信号を通信回路５１から集合玄関機１０に送信する。この停止信号は、通信回路１６、制御回路１９を介してカメラ１３およびエントランスカメラ２０に送信され、カメラ１３およびエントランスカメラ２０による撮像が終了する。
このように、本実施形態の集合住宅インターホンシステム１では、センサ１４およびセンサ２１が来訪者を感知しなくなった場合にカメラ１３およびエントランスカメラ２０による撮像を終了させるような構成になっているものとして説明したが、これに限られず、どのようなタイミングで終了させてもよい。例えば、カメラ１３およびエントランスカメラ２０を起動させてから所定の時間（例えば１分）内に集合玄関機の入力操作がなかった場合には、予め決められた時間（例えば２分）が経過した後に終了させるような構成としてもよい。また、センサ１４またはセンサ２１のいずれか一方が来訪者を感知しなくなった場合にカメラ１３およびエントランスカメラ２０による撮像を終了させるような構成としてもよい。
【００３２】
一方、カメラ１３およびエントランスカメラ２０の起動中に、来訪者による居住者または管理人の呼び出しがあった場合（ＳＴ１０９）、すなわち、来訪者による集合玄関機１０の操作部１１の入力操作があった場合には、主制御回路５６は、カメラ１３およびエントランスカメラ２０を起動させた状態を維持するとともに、呼出状態継続用のタイマ５５を起動させる（ＳＴ１１０）。呼出状態継続用のタイマ５５により設置された時間内に居住者または管理人が居室親機４０または管理室親機３０により応答した場合（ＳＴ１１１：Ｙｅｓ）、通話状態となり（ＳＴ１１２）、主制御回路５６は、通話の終了（ＳＴ１１３）と同時にカメラ１３およびエントランスカメラ２０による撮像を終了させる（ＳＴ１１３）。一方、居住者または管理人が居室親機４０または管理室親機３０により応答することなく呼出状態継続用のタイマ５５により設置された時間が経過した場合（ＳＴ１１１：Ｎｏ）、主制御回路５６は、呼び出しを終了するとともにカメラ１３およびエントランスカメラ２０による撮像を終了させる（ＳＴ１１５）。
【００３３】
以上のように、本実施形態の集合住宅インターホンシステム１によれば、エントランスにいる来訪者自身の姿が集合玄関機１０の表示部１２に映し出されるため、来訪者に監視されているという警告を与えることができ、来訪者の不審な行動や共連れ的な侵入を抑止することができる。
【００３４】
また、本実施形態の集合住宅インターホンシステム１によれば、エントランスカメラ２０センサ２１または集合玄関機１０のセンサ１４が来訪者を感知してから所定の時間内に来訪者による集合玄関機の入力操作がなかった場合にのみ、エントランスカメラ２０およびカメラ１３を起動させるような構成となっている。
マンションの居住者やいたずら目的ではない来訪者は、エントランスＡに立ち入ったらすぐに集合玄関機１０の入力操作を行うことが多く、逆に、エントランスＡに立ち入ったまま集合玄関機１０にて何ら入力操作をしない者は、立ち入りの目的が不明確で不審者である場合が多い。したがって、このような構成になっていれば、所定の時間内に集合玄関機１０の入力操作を行わなかった来訪者のみを撮像することとなるため、不審者である可能性の低い者の撮像を回避することができる可能性が高く、マンションの居住者や通常の来訪者に対して監視カメラによって監視されているという不快感を与えずにすむ。
【００３５】
また、本実施形態の集合住宅インターホンシステム１によれば、エントランスカメラ２０またはカメラ１３を起動させる前に、まもなく撮像が開始される旨を知らせるメッセージが集合玄関機１０から出力される構成となっている。すなわち、まもなく監視が始まることが予告されるため、不審な行動を未然に防止できる効果を期待することができる。また、マンションの居住者や通常の来訪者にこれから撮像されるという心づもりをさせることができ、プライバシーを保護することができる。
なお、本実施形態では、まもなく撮像が開始される旨を知らせるメッセージを文字および音声により出力するものとして説明したが、これに限られず、文字によるメッセージおよび音声によるメッセージは、そのいずれか一方を出力するような構成としてもよい。
【００３６】
また、本実施形態の集合住宅インターホンシステム１によれば、エントランスカメラ２０により撮像される映像からカメラ１３により撮像される映像に切り替えて表示部１２に表示するような構成となっているので、来訪者に複数のカメラで監視されているという警告を与えることができ、来訪者の不審な行動や共連れ的な侵入をさらに抑止することができる。なお、本実施形態では、エントランスカメラ２０により撮像される映像からカメラ１３により撮像される映像に一度だけ切り替えて表示部１２に表示するような構成であるものとして説明したが、これに限られず、カメラ１３により撮像される映像からエントランスカメラ２０により撮像される映像に一度だけ切り替えて表示部１２に表示するような構成、または所定の時間が経過する毎にこれらの映像を交互に切り替えて表示部１２に表示する構成としてもよい。
さらに、本実施形態の集合住宅インターホンシステム１によれば、エントランスカメラ２０またはカメラ１３により撮像される映像に加えて、監視中であることを示すメッセージが集合玄関機１０から出力されるような構成になっているので、来訪者に監視されている旨のより強い警告を与えることができ、来訪者の不審な行動をさらに抑止することができる。なお、本実施形態では、文字によるメッセージまたは音声によるメッセージの双方を出力するような構成になっているものとして説明するが、これに限られず、文字によるメッセージおよび音声によるメッセージのうち、そのいずれか一方を出力するような構成になっていてもよい。
【００３７】
また、本実施形態の集合住宅インターホンシステム１によれば、管理人室の表示部３２にも映像が表示されるため、リアルタイムに管理人による監視を行うことができる。
また、撮像した映像がメモリ１５に録画されるような構成となっているので、エントランスＡの集合玄関機１０または備品等に損傷があった場合や、マンション内に不審者がいた場合に、この人物が立ち去った後にも来訪時の様子を確認することができ、利便性が高い。
なお、本実施形態では、撮像した映像がメモリ１５に録画されるような構成となっているものとして説明したが、これに限られず、録画は行わないような構成としてもよいし、撮像した映像はメモリ１５、３３、５４のいずれに録画してもよい。
【００３８】
また、本実施形態の集合住宅インターホンシステム１によれば、カメラ１３およびエントランスカメラ２０を起動させてから所定の時間内に集合玄関機１０の入力操作がなかった場合には、センサ１４およびセンサ２１が来訪者を感知しなくなった後に、カメラ１３およびエントランスカメラ２０の撮像を終了させるような構成となっているので、来訪者が集合玄関機１０の入力操作を行わないまま立ち去ってしまった場合に、カメラ１３およびエントランスカメラ２０による撮像を無駄に続けることを防止することができる。なお、カメラ１３およびエントランスカメラ２０を起動させてから所定の時間内に集合玄関機１０の入力操作がなかった場合、所定の時間経過した後に、カメラ１３およびエントランスカメラ２０の撮像を終了させるような構成とした場合には、エントランスＡ内の清掃・修理その他何らかの事情によりエントランスＡに立ち入った後に集合玄関機１０の入力操作を行わない場合に、カメラ１３およびエントランスカメラ２０による撮像を無駄に続けることを防止することができる。
【００３９】
また、本実施形態の集合住宅インターホンシステム１によれば、カメラ１３およびエントランスカメラ２０の起動中に集合玄関機１０の入力操作があった場合には、カメラ１３およびエントランスカメラ２０を起動させた状態を維持するとともに、呼出状態継続用のタイマ５５を起動させ、居住者が居室親機４０により応答することなく予め決められた時間が経過した場合、カメラ１３およびエントランスカメラ２０の撮像を終了させるような構成となっているので、来訪者が呼び出した居住者が不在である場合においても、呼出状態継続用のタイマ５５の作動により予め決められた時間が経過した場合にはカメラ１３およびエントランスカメラ２０による撮像が終了するため、撮像を無駄に続けることを防止することができる。
【００４０】
また、本実施形態の集合住宅インターホンシステム１は、集合玄関機１０のカメラ１３およびエントランスカメラ２０の双方を備えており、集合玄関機１０のセンサ１４またはエントランスカメラ２０のセンサ２１のいずれかが来訪者を感知した場合にカメラ１３、エントランスカメラ２０が起動するため、来訪者の感知度を上げることができる。また、来訪者の撮像もカメラ１３、エントランスカメラ２０の双方のカメラによってなされるため、複数の角度からの撮像が可能となり、監視体制をより高めることができる。
このように、本実施形態の集合住宅インターホンシステム１は、集合玄関機１０のカメラ１３およびエントランスカメラ２０の双方を備えているような構成として説明したが、これに限られず、少なくともいずれか一方を備えていればよい。
【符号の説明】
【００４１】
１・・集合住宅インターホンシステム、１０・・集合玄関機、１１，３１，４１・・操作部、１２，３２，４２・・表示部、１３・・カメラ、１４，２１・・センサ、１５，３３，５４・・メモリ、１６，３４，４３，５１，５２，５３・・通信回路、１７・・マイク、１８・・スピーカ、１９，３５，４４・・制御回路、２０・・エントランスカメラ、３０・・管理室親機、４０・・居室親機、５０・・制御装置、５５・・呼出状態継続用のタイマ、５６・・主制御部、Ａ・・エントランス。
【図１】
2011205570.tif 000003
【図２】
2011205570.tif 000004